(57)【要約】      （修正有）【課題】ネジなどの工具がなくても設置することができ、排水板が窓の外の一部を被覆するため、窓の外の一部にタイルを敷設する必要がない排水板設置手段を提供する。【解決手段】窓枠２０の外側に対する外側面には充填槽２２と、該充填槽内に設ける排水板１０とが形成されるとともに、防水のために供する接着剤４０を充填して排水板が充填槽の内部に固定される。【選択図】図７
0003146454.tif 000002
【実用新案登録請求の範囲】
【請求項１】
窓枠の外側に対する外側面には充填槽と、該充填槽内に設ける排水板とが形成されるとともに、防水のために供する接着剤を充填して排水板が充填槽の内部に固定されることを特徴とする排水板設置手段。
【請求項２】
前記窓枠が、複数のレールを具えてなり、外側には外レールが形成され、内側には支持側面が形成され、該外側面には垂直な外側片が形成され、該外側片とレールとの間には充填槽が形成され、該充填槽の開口が外側片と外レールとの間の隙間であることを特徴とする請求項１に記載の排水板設置手段。
【請求項３】
前記排水板が、傾斜を具えた板体で、該傾斜板の一端縁部には第一固定側片が形成され、他端縁部には第二固定側片が形成され、第一固定側片を嵌合して充填槽内に固定するために防水用の接着剤を充填し、第二固定側片が外レールの外側の水ガイド台に固定されることを特徴とする請求項１に記載の排水板設置手段。
【請求項４】
前記外レールが、Ｔ形を呈し、支持側面が垂直な面で、レールの水平面と外側片とがＴ字を９０度に時計回りした形を形成し、外側片と支持側面とが平行に設けられることを特徴とする請求項２に記載の排水板設置手段。
【請求項５】
前記充填槽の支持側面に設けられた外レールが内弧状を具え、レールの水平面と外側片とがＴ字を９０度に時計間周りさせた形を形成することを特徴とする請求項２に記載の排水板設置手段。
【請求項６】
前記排水板の第一固定側片が垂直に折り曲げられて形成され、第二固定側片が下方向に折り曲げられた当接片と、該当接片から垂直に延伸した隔絶片とを含んでなり、該隔絶片が第一固定側片に向けて延伸することを特徴とする請求項３に記載の排水板設置手段。
【請求項７】
前記排水板の第一固定側片が折り曲げられていない平面状で、第二固定側片が下方向に折り曲げられた当接片と、該当接片から垂直に延伸した隔絶片とを含んでなり、該隔絶片が第一固定側片に向けて延伸することを特徴とする請求項３に記載の排水板設置手段。
【考案の詳細な説明】
【技術分野】
【０００１】
この考案は、排水板設置手段に関し、特に窓の外に設けて雨水などが浸入しないようにガイドする排水板設置手段に関する。
【背景技術】
【０００２】
従来の製品は、窓の窓枠上に設けるため、窓枠を設ける前に窓枠の外の傾斜を具えた台の表面にタイルを敷設する必要がある。
【０００３】
タイルを敷設後、窓枠は排水板のフレームとともに窓台上に設ける。
【０００４】
このため、排水板の一端と窓枠の外側とが面と面とが貼着、ネジで固定され、排水板が傾斜を形成して設けられる。
【０００５】
しかしながら、該排水板と窓枠とは一緒にネジで固定すると、現場に到着後でないと窓台上に設けられないため、運送中に占める空間が大幅に増加するとともに、運送コストも増加して実用的でない。
【０００６】
また、排水板と窓枠とはネジで固定するため、隙間から水がしみ込み易く、防水性が低く、甚だしくは、ネジの隙間に汚れが残留して錆が発生して、排水板の位置決め効果と使用寿命に影響を与える。
【考案の開示】
【考案が解決しようとする課題】
【０００７】
この考案は、ネジなどの工具がなくても設置することができ、排水板が窓の外の一部を被覆するため、窓の外の一部にタイルを敷設する必要がない排水板設置手段を提供することを課題とする。
【課題を解決するための手段】
【０００８】
そこで、本考案者は従来の技術に見られる欠点に鑑みて鋭意研究を重ねた結果、窓枠の外側に対する外側面には充填槽と、該充填槽ないに設ける排水板とが形成されるとともに、防水のために供する接着剤を充填して排水板が充填槽の内部に固定される排水板設置手段の構造によって課題を解決できる点に着眼し、かかる知見に基づいて本考案を完成させた。
【０００９】
以下、この考案について具体的に説明する。
請求項１に記載窓枠の外側に対する外側面には充填槽と、該充填槽内に設ける排水板とが形成されるとともに、防水のために供する接着剤を充填して排水板が充填槽の内部に固定される。
【００１０】
請求項２に記載の排水板設置手段は、請求項１における窓枠が、複数のレールを具えてなり、外側には外レールが形成され、内側には支持側面が形成され、該外側面には垂直な外側片が形成され、該外側片とレールとの間には充填槽が形成され、該充填槽の開口が外側片と外レールとの間の隙間である。
【００１１】
請求項３に記載の排水板設置手段は、請求項１における排水板が、傾斜を具えた板体で、該傾斜板の一端縁部には第一固定側片が形成され、他端縁部には第二固定側片が形成され、第一固定側片を嵌合して充填槽内に固定するために防水用の接着剤を充填し、第二固定側片が外レールの外側の水ガイド台に固定される。
【００１２】
請求項４に記載の排水板設置手段は、請求項２における外レールが、Ｔ形を呈し、支持側面が垂直な面で、レールの水平面と外側片とがＴ字を９０度に時計回りした形を形成し、外側片と支持側面とが平行に設けられる。
【００１３】
請求項５に記載の排水板設置手段は、請求項２における充填槽の支持側面に設けられた外レールが内弧状を具え、レールの水平面と外側片とがＴ字を９０度に時計間周りさせた形を形成する。
【００１４】
請求項６に記載の排水板設置手段は、請求項３における排水板の第一固定側片が垂直に折り曲げられて形成され、第二固定側片が下方向に折り曲げられた当接片と、該当接片から垂直に延伸した隔絶片とを含んでなり、該隔絶片が第一固定側片に向けて延伸する。
【００１５】
請求項７に記載の排水板設置手段は、請求項３における排水板の第一固定側片が折り曲げられていない平面状で、第二固定側片が下方向に折り曲げられた当接片と、該当接片から垂直に延伸した隔絶片とを含んでなり、該隔絶片が第一固定側片に向けて延伸する。
【考案の効果】
【００１６】
この考案による排水板設置手段は、ネジなどの工具を必要とすることがないため、簡単に排水板を設けられて便利であるとともに、排水板で窓の外側の一部が被覆されるため、敷設するタイルを節減でき、コスト節減にもなるという効果を有する。
【考案を実施するための最良の形態】
【００１７】
この考案は、ネジなどの工具がなくても設置することができ、排水板が窓の外の一部を被覆するため、窓の外の一部にタイルを敷設する必要がない排水板設置手段であって、窓枠の外側に対する外側面には充填槽と、該充填槽ないに設ける排水板とが形成されるとともに、防水のために供する接着剤を充填して排水板が充填槽の内部に固定される排水板設置手段の構造と特徴を詳述するために具体的な実施例を挙げ、図示を参照にして以下に説明する。
【実施例】
【００１８】
図１は、この考案の後付の排水板を示したものである。図面によれば、窓枠２０は、複数のレールを具えてなり、外側に面する位置には外レール２１が設けられ、該外レール２１の外側にはタイルの敷設された水ガイド台３０が設けられる。
【００１９】
この考案の排水板は、外レール２１の断面を変更するとともに、特別なデザインの排水板１０に合わせて形成され、ネジなどの部材がなくてもすばやく安定した状態に接続することができる。
【００２０】
図１、図２に開示するように、該排水板１０は、アルミニウムの板体であって、傾斜した傾斜板１１と、該傾斜板１１の長手方向の一端縁部に形成された第一固定側片１２と、該傾斜板１１の長手方向の他端縁部に形成された第二固定側片１３とを含んでなる。
【００２１】
該第一固定側片１２は、垂直に折り曲げて形成され、第二固定側片１３は、下方向に折り曲げられて形成された当接片１３１と、該当接片１３１から垂直に延伸して形成された隔絶片１３２とを具えてなる。
【００２２】
該隔絶片１３２は、第一固定側片１２の方向に向けて延伸する。
【００２３】
窓枠２０の外レール２１は、略Ｔ字を呈し、垂直な面状に形成された支持側面２１１と、外側に面する外側面に形成された垂直な面状の外側片２１２とを含んでなり、該外レール２１の水平面と外側片２１２とが時計周りに９０度倒れたＴ字を呈する。
【００２４】
また、外側片２１２と外レール２１の内側面との間には充填槽２２が形成される。該充填槽２２は内側の高さが第一固定側片１２を挿入できるように形成され、該充填槽２２の開口２２１は外側片２１２と、外レール２１との間の垂直な方向の隙間に形成され、外側片２１２が支持側面２１１と略平行に設けられる。
【００２５】
使用する場合、窓枠２０と排水板１０は、先に組み立てる必要がなく、別々に施工場所まで運送する。
【００２６】
施工場所に到着後、図１、図２に開示するように、予め設けられた窓の位置に窓枠２０を設ける。
【００２７】
次に図３、図４に開示するように、充填槽２２内にスポンジなどの充填物２３を設けるとともに、水ガイド台３０を形成する。
【００２８】
充填物２３は、水ガイド台３０の水や泥が充填槽２２の内部に進入することを防ぐために供する。
【００２９】
よって、図５、図６に開示するように、水ガイド台３０が乾いた後、図４に開示する充填物２３を取り出し、排水板１０の第一固定側片１２を開口２２１から挿入し、排水板１０の角度を調整して第二固定側片１３の隔絶片１３２を水ガイド台３０の外側面上に当接させるように設ける。
【００３０】
次に図７に開示するように、開口２２１からシリコンなどの接着剤４０を充填して、シリコンなどの接着剤４０で外側片２１２と排水板１０の第一固定側片１２との間をふさぐ。
【００３１】
また、隔絶片１３２と当接片１３１と、水ガイド台３０との三面との間にシリコンなどの接着剤４０を充填して、排水板と窓枠２０、水ガイド台３０との間を接続するとともに、隙間を塞ぐ。
【００３２】
よって、排水板１０が窓枠２０、水ガイド台３０に固定されるだけでなく、ネジを必要としない方法で安定して固定されるとともに、防水作用を具えてなる。
【００３３】
図８は、水ガイド台３００の傾斜角度を変更する状態を示したものである。図面によれば、排水板１０を設ける角度は、第一固定側片１２の底部側面と開口２２１の端縁部の支持点を通して梃子の原理で傾斜角度を調整する。
【００３４】
その後、再度接着剤４０を充填して固定し、排水板１０を水ガイド台３００の傾斜角度に合わせて設けるように調整する。
【００３５】
また、図９は、外レール２４の断面を変更した状態を示したものである。図面によれば、外レール２４は内側に弧状面を供えた支持側面２５１の充填槽２５を形成する。
【００３６】
よって、排水板１０の第一固定側片１２は充填槽２５に挿入し、支持側面２５１の弧状面にガイドされて排水板１０を設ける角度を調整することができる。その後、接着剤４０を排水板１０を挿入した充填槽２５に充填して、排水板１０と水ガイド台３０との間の空間を埋める。
【００３７】
図１０は、図９に開示する外レール２４が、弧状の断面の支持側面２５１の充填槽２５を具えた状態を示したものである。
【００３８】
図面によれば、排水板１０の第一固定側片１２を充填槽２５内部に挿入した後、支持側面２５１の弧状面にガイドされて排水板１０が水ガイド台３０１の傾斜角度に合わせて設置角度を調整する。
【００３９】
次に接着剤４０を排水板１０の挿入された充填槽２５に充填し、排水板１０と水ガイド台３０１との間の隙間を埋める。
【００４０】
図１１は、図９に開示する外レールが、弧状の断面の支持側面２５１の充填槽２５を具えた状態を示したものである。
【００４１】
排水板１０の第一固定側片１２は図１に開示するような折り曲げて形成されるのではなく、平面状に形成され、開口２５２から直接、充填槽２５の内部に挿入し、支持側面２５１の弧状面にガイドされて排水板１０の設置角度が水ガイド台３０２の傾斜角度に合わせて調整される。
【００４２】
次にシリコンなどの接着剤４０を排水板を挿入した充填槽２５に充填して、排水板と水ガイド台３０２との間の空間を埋める。
【００４３】
また、この考案を使用する場合、排水板１０が被覆する水ガイド台３０の一部にはタイルを敷設する必要がない。該タイルは排水板１０の下方端縁部から敷設すればよいため、敷設するタイルを節減することができるとともに、コストも節減することができる。
【００４４】
以上は、この考案の好ましい実施例であって、この考案の実施の範囲を限定するものではない。よって、当業者のなし得る修正、もしくは変更であって、この考案の精神の下においてなされ、この考案に対して均等の効果を有するものは、いずれもこの考案の実用新案登録請求の範囲に属するものとする。
【図面の簡単な説明】
【００４５】
【図１】この考案の排水板設置手段を示した分解図である。
【図２】この考案の排水板設置手段を示した断面図である。
【図３】図１に開示する排水板設置手段に充填物を充填した状態を示した断面図である。
【図４】図１に開示する排水板設置手段に水ガイド台を設けた状態を示した断面図である。
【図５】図１に開示する排水板設置手段から充填物を取り除いた状態を示した断面図である。
【図６】図１に開示する排水板設置手段に排水板を設けた状態を示した断面図である。
【図７】図１に開示する排水板設置手段に排水板を挿入して固定した状態を示した断面図である。
【図８】この考案の排水板設置手段に排水板を挿入して固定した状態の他の実施形態を示した断面図である。
【図９】この考案の排水板設置手段に排水板を挿入して固定した状態のその他の実施形態を示した断面図である。
【図１０】この考案の排水板設置手段に排水板を挿入して固定した状態の別の実施形態を示した断面図である。
【図１１】この考案の排水板設置手段に排水板を挿入して固定した状態のさらに別の実施形態を示した断面図である。
【符号の説明】
【００４６】
１０           排水板
１１           傾斜板
１２、１２１   第一固定側片
１３           第二固定側片
１３１         当接片
１３２         隔絶片
２０           窓枠
２１、２４     外レール
２１１、２５１ 支持側面
２１２         外側片
２２、２５     充填槽
２２１、２５２ 開口
２３           充填物
３０、３００、３０１、３０２  水ガイド台
４０           接着剤
【図１】
0003146454.tif 000003
【図２】
0003146454.tif 000004
【図３】
0003146454.tif 000005
【図４】
0003146454.tif 000006
【図５】
0003146454.tif 000007
【図６】
0003146454.tif 000008
【図７】
0003146454.tif 000009
【図８】
0003146454.tif 000010
【図９】
0003146454.tif 000011
【図１０】
0003146454.tif 000012
【図１１】
0003146454.tif 000013